(57)【要約】  脳科学の検証実験の結果に基づいて、長時間、学習や事務作業などの作業効率を向上させることができる調光装置を提供する。  寒色系光源と、暖色系光源と、前記寒色系光源の駆動回路と、前記暖色系光源の駆動回路と、前記寒色系光源の駆動回路および前記暖色系光源の駆動回路を制御する制御部を備えた調光装置において、前記制御部は、前記複数光源により高照度高色温度の光を発光させ、３０分程度の所定の時間が経過後に、高照度高色温度の光に代えて、前記光源の発光強度を変化することにより低照度低色温度の光を発光するように構成した。
2013011589.tif 000002
【特許請求の範囲】
【請求項１】
寒色系光源と、暖色系光源と、前記寒色系光源の駆動回路と、前記暖色系光源の駆動回路と、前記寒色系光源の駆動回路および前記暖色系光源の駆動回路を制御する制御部を備えた調光装置において、
前記制御部は、前記複数の光源により高照度高色温度の光を発光させ、所定の時間が経過後に、前記複数の光源の発光強度を変化させることにより別の照度および色温度の光に変更するようにした調光装置。
【請求項２】
請求項１に記載の調光装置において、
前記制御部は、前記寒色系光源により高照度高色温度の光を発光させ、所定の時間が経過後に、高照度高色温度の光に代えて、前記暖色系光源により低照度低色温度の光を発光するようにした調光装置。
【請求項３】
請求項２に記載の調光装置において、
前記制御部は、移行期間において、徐々に、高照度高色温度の光から低照度低色温度の光に変更するようにした調光装置。
【請求項４】
請求項１に記載の調光装置において、
前記寒色系光源は、青色ＬＥＤであり、前記暖色系光源は赤色ＬＥＤまたはオレンジ色ＬＥＤである調光装置。
【請求項５】
請求項１に記載の調光装置において、更に、
中間色系光源および該中間色系光源の駆動回路を備える調光装置。
【請求項６】
請求項５に記載の調光装置において、
前記中間色系光源は、白色ＬＥＤである調光装置。
【請求項７】
請求項１に記載の調光装置において、
前記所定の時間は、２０〜６０分の範囲、より好ましくは２５〜３５分の範囲である調光装置。
【請求項８】
暖色系光源および前記暖色系光源の駆動回路を備えた天井灯・壁灯などの周囲の環境光を制御する照明と、寒色系光源および前記寒色系光源の駆動回路を備えたスタンドと、前記暖色系光源の駆動回路および前記寒色系光源の駆動回路を制御する制御部を備えた調光装置において、
前記制御部は、前記複数の光源により高照度高色温度の光を発光させ、所定の時間が経過後に、高照度高色温度の光に代えて、前記光源の発光強度を変化させることにより低照度低色温度の光を発光するようにした調光装置。
【請求項９】
請求項８に記載の調光装置において、
前記制御部は、移行期間において、徐々に、高照度高色温度の光から低照度低色温度の光に変更するようにした調光装置。
【請求項１０】
請求項８記載の調光装置において、
前記天井灯・壁灯などの周囲の環境光を制御する照明は、更に、中間色系光源および中間色系光源の駆動回路を有する調光装置。
【請求項１１】
請求項８記載の調光装置において、
前記所定の時間は、２０〜６０分の範囲、より好ましくは２５〜３５分の範囲である調光装置。
【請求項１２】
暖色系光源および前記暖色系光源の駆動回路を備えた天井灯・壁灯などの周囲の環境光を制御する照明と、寒色系光源、前記寒色系光源の駆動回路、および前記寒色系光源の駆動回路を制御する制御部を備えたスタンドを有する調光装置において、
前記天井灯・壁灯などの周囲の環境光を制御する照明は、前記暖色系光源による低照度低色温度の光の発光状態を維持し、
前記制御部は、前記スタンドの点灯スイッチがＯＮされると、前記寒色系光源により高照度高色温度の光を発光させ、所定の時間が経過後に、前記寒色系光源の発光を停止するようにした調光装置。
【請求項１３】
請求項１２記載の調光装置において、
前記制御部は、移行期間において、徐々に、高照度高色温度の光を減少させるようにした調光装置。
【請求項１４】
請求項１２記載の調光装置において、
前記天井灯・壁灯などの周囲の環境光を制御する照明は、更に、中間色系光源および中間色系光源の駆動回路を有する調光装置。
【請求項１５】
請求項１２記載の調光装置において、
前記所定の時間は、２０〜６０分の範囲、より好ましくは２５〜３５分の範囲である調光装置。
【発明の詳細な説明】
【技術分野】
【０００１】
本発明は、電気スタンドや天井灯・壁灯などの照明の調光装置に関し、特に、学習や事務作業などの作業効率の向上に適した調光装置に関するものである。
【背景技術】
【０００２】
机の前に座って学習をしたり事務作業をしたりする人のために、電気スタンドなどの照明が用いられている。従来の電気スタンドには、白熱ランプや蛍光ランプが主として用いられていたが、希望の光色を発色させるために三波長（ＲＧＢ）の光源を用いることが提案されている（特許文献１）。【０００３】
三波長以上の光源を用いた電気スタンドの一例として、特許文献２には、多様な色相のＬＥＤ(発光ダイオード）を光源として適用して色温度および明るさの調節を通じて能率が向上される多様な学習モードを提供し、多様な色彩の感性照明により心理的安定を提供するようにした感性調節スタンド、が記載されている。【０００４】
また、照明と判断の反応時間との関係について、非特許文献１には、照明の高い色温度は脳内の松果体から分泌されるメラトニンを抑制し、その結果として覚醒度に影響を与え、判断の反応時間が早くなること、が報告されている。
【先行技術文献】
【特許文献】
【０００５】
【特許文献１】特開平６−７６９５８号公報
【特許文献２】特開２０１０−１８２６６１号公報
【非特許文献】
【０００６】
【非特許文献１】S.L. Chellappa et al., Non-visual effects of light on melatonin, alertness and cognitive performance: Can blue-enriched light keep us alert? PLos ONE 6(1), e16429, pp.1-11, 2011.
【発明の概要】
【発明が解決しようとする課題】
【０００７】
特許文献２には、色温度および明るさの調節を通じて多様な学習モードを提供できる電気スタンドが記載され、言語領域のモードを選択すると、高い集中力と長時間の集中力が提供される４，５００〜５，５００Ｋ（ケルビン）の色温度照明を提供し、数理領域のモードを選択すると、速い頭脳回転と高い思考速度が提供される６，５００〜７，５００Ｋの色温度照明を提供し、創意力／芸術領域のモードを選択すると、安定的で穏やかな雰囲気が提供される２，５００〜３，５００Ｋの色温度照明を提供する、と記載されている。しかし、後に述べる、脳科学の検証実験に基づくものではない。【０００８】
非特許文献１には、高い色温度の照明によって、反応時間が早くなると報告されているが、長時間作業した場合の反応時間については、考慮されていない。【０００９】
本発明は、脳科学の検証実験の結果に基づいて、長時間、学習や事務作業などの作業効率を向上させることや、移動体運転中の運転者（士）や、非定常的に夜勤をしなければならない準夜の看護師や、交番（警察官）の照明、大規模プラント（発電所・化学コンビーナート）の運転員の眠気防止・疲労の低減・集中力の維持などができる調光装置を提供することを目的とする。
【課題を解決するための手段】
【００１０】
上記の課題を解決するため、本発明では、先ず、高照度高色温度の光を発光させ、所定の時間が経過後に、高照度高色温度の光に代えて、低照度低色温度の光を発光するように構成する。【００１１】
本発明の調光装置の代表的な一例を挙げるならば、寒色系光源と、暖色系光源と、前記寒色系光源の駆動回路と、前記暖色系光源の駆動回路と、前記寒色系光源の駆動回路および前記暖色系光源の駆動回路と駆動時間を制御する制御部を備えた調光装置において、前記制御部は、前記複数の光源により高照度高色温度の光を発光させ、所定の時間が経過後に、前記複数の光源の発光強度を変化させることにより別の照度および色温度の光に変更するようにしたものである。【００１２】
本発明の調光装置において、前記制御部は、前記寒色系光源により高照度高色温度の光を発光させ、所定の時間が経過後に、高照度高色温度の光に代えて、前記暖色系光源により低照度低色温度の光を発光するようにしてもよい。【００１３】
なお、本発明において、高照度高色温度の光とは、８００ｌｕｘ（ルックス）以上、５０００−９０００Ｋ（ケルビン）の光であり、また、低照度低色温度の光とは、５００ｌｕｘ以下、２０００−３５００Ｋの光である。【００１４】
また、本発明の調光装置において、前記制御部は、移行期間において、徐々に、高照度高色温度の光から低照度低色温度の光に変更するようにしてもよい。【００１５】
また、本発明の調光装置において、前記寒色系光源は、青色ＬＥＤであり、前記暖色系光源は赤色ＬＥＤまたはオレンジ色ＬＥＤでよい。【００１６】
また、本発明の調光装置において、更に、中間色系光源および該中間色系光源の駆動回路を備えてもよい。【００１７】
また、本発明の調光装置は、前記中間色系光源は、白色ＬＥＤでよい。【００１８】
本発明の調光装置の他の一例を挙げるならば、暖色系光源および前記暖色系光源の駆動回路を備えた天井灯・壁灯などの周囲の環境光を制御する照明と、寒色系光源および前記寒色系光源の駆動回路を備えたスタンドと、前記暖色系光源の駆動回路および前記寒色系光源の駆動回路を制御する制御部を備えた調光装置において、前記制御部は、前記複数の光源により高照度高色温度の光を発光させ、所定の時間が経過後に、高照度高色温度の光に代えて、前記光源の発光強度を変化させることにより低照度低色温度の光を発光するようにしたものである。【００１９】
本発明の調光装置の他の一例を挙げるならば、暖色系光源および前記暖色系光源の駆動回路を備えた天井灯・壁灯などの周囲の環境光を制御する照明と、寒色系光源、前記寒色系光源の駆動回路、および前記寒色系光源の駆動回路を制御する制御部を備えたスタンドを有する調光装置において、前記天井灯・壁灯などの周囲の環境光を制御する照明は、前記暖色系光源による低照度低色温度の光の発光状態を維持し、前記制御部は、前記スタンドの点灯スイッチがＯＮされると、前記寒色系光源により高照度高色温度の光を発光させ、所定の時間が経過後に、前記寒色系光源の発光を停止するようにしたものである。【００２０】
本発明の調光装置において、前記天井灯・壁灯などの周囲の環境光を制御する照明は、更に、中間色系光源および中間色系光源の駆動回路を有してもよい。【００２１】
また、本発明の調光装置においてはタイマーを有して点灯時刻・時間を制御できるが、前記所定の時間は、２０〜６０分の範囲、より好ましくは２５〜３５分の範囲でよい。
【発明の効果】
【００２２】
本発明の調光装置によれば、短期的に積極性を上げるとともに、その後、長時間、認知判断時間を維持し、眠気を押さえ、積極性も維持することができ、学習や事務作業などの作業効率を向上させることができる。
【図面の簡単な説明】
【００２３】
【図１】本発明の実施例１の調光装置のブロック構成を示す図である。
【図２】本発明の実施例１の調光装置における各色の光の強さの時間変化を示す図である。
【図３】本発明の実施例１の調光装置の制御のフローを示す図である。
【図４】本発明の実施例２の調光装置のブロック構成を示す図である。
【図５】本発明の実施例２の調光装置の制御のフローを示す図である。
【図６】本発明の実施例３の調光装置のブロック構成を示す図である。
【図７】本発明の実施例３の調光装置の制御のフローを示す図である。
【図８】本発明の実施例４の調光装置のブロック構成を示す図である。
【図９】本発明の実施例４の調光装置における光の強さの時間変化を示す図である。
【図１０】本発明の実施例４の調光装置の制御のフローを示す図である。
【図１１】ＰＡＮＡＳ調査票による主観的評価の結果を示す図である。
【図１２】ＫＳＳ調査票による主観的眠気評価の結果を示す図である。
【図１３】Go/Non-Goタスクによる認知反応テストの結果を示す図である。
【発明を実施するための形態】
【００２４】
本発明の実施の形態を説明する前に、先ず、本発明の基となる、光条件の変更による検証実験の結果を示す。検証実験は、２０人の被験者(男子大学生）に対して行ったものである。
【００２５】
図１１は、ＰＡＮＡＳ（ポジティブネガティブ感情）調査票による主観的評価の結果を示す。図において、横軸は時刻を示す。また、縦軸はポジティブ感情(点数）を示し、値が大きいほど積極性が大きい。図において、■で示されるグラフは、Ｄｉｍ状態（薄暗がりの状態）から寒色系光（Ｂｌｕｅ：７０００Ｋ）を照射した結果を示す。▲で示されるグラフは、Ｄｉｍ状態（薄暗がりの状態）から暖色系光（Ｒｅｄ：３０００Ｋ）を照射した結果を示す。●は、Ｄｉｍ状態（薄暗がりの状態）を維持したグラフを示す。
【００２６】
図１１の結果から、知的活動を継続して行っている場合、薄暗がりの状態（Ｄｉｍ）から寒色系（Ｂｌｕｅ：７０００Ｋ）への光環境下では、ポジティブな感情が高くなる（ｐ＝０．０４６）。しかし、３０分後にはその感情は明らかに低下する(ｐ＝０．００１)。したがって、寒色系（Ｂｌｕｅ：７０００Ｋ）の光環境下では、光を点灯してから短期的にポジティブな感情が起こる。
【００２７】
これに対して、薄暗がりの状態（Ｄｉｍ）から暖色系（Ｒｅｄ：３０００Ｋ）への光環境下では、ポジティブな感情が高くなる傾向があり（ｐ＝０．０５７）、その感情は、３０分後にも持続する。
【００２８】
図１２は、ＫＳＳ調査票による主観的眠気評価の結果を示す。図において、横軸は時刻を示す。また、縦軸は眠気(点数）を示し、値が小さいほど覚醒状態である。図において、■で示されるグラフは、Ｄｉｍ状態（薄暗がりの状態）から寒色系光（Ｂｌｕｅ：７０００Ｋ）を照射した結果を示す。▲で示されるグラフは、Ｄｉｍ状態（薄暗がりの状態）から暖色系光（Ｒｅｄ：３０００Ｋ）を照射した結果を示す。●は、Ｄｉｍ状態（薄暗がりの状態）を維持したグラフを示す。
【００２９】
図１２の結果から、知的活動を継続して行っている場合、暖色系（Ｒｅｄ：３０００Ｋ）の光環境下では眠気が低下し、この眠気の低下は１時間は継続する。
【００３０】
図１３は、Go/Non-Goタスクによる認知反応テストの結果を示す。図において、横軸は時刻を示す。また、縦軸は判断時間(ｍｓ）を示し、値が小さいほど反応時間が短い。図において、■で示されるグラフは、Ｄｉｍ状態（薄暗がりの状態）から寒色系光（Ｂｌｕｅ：７０００Ｋ）を照射した結果を示す。▲で示されるグラフは、Ｄｉｍ状態（薄暗がりの状態）から暖色系光（Ｒｅｄ：３０００Ｋ）を照射した結果を示す。●は、Ｄｉｍ状態（薄暗がりの状態）を維持したグラフを示す。
【００３１】
図１３の結果から、知的活動を継続して行っている場合、薄暗がりの状態（Ｄｉｍ）から寒色系（Ｂｌｕｅ：７０００Ｋ）の光環境下では、一時的に反応時間が短くなる。
【００３２】
これに対し、薄暗がりの状態（Ｄｉｍ）から暖色系（Ｒｅｄ：３０００Ｋ）の光環境下では、１時間は継続してGo/Non-Go課題の反応時間が低下する。また、暖色系（Ｒｅｄ：３０００Ｋ）の光環境下では、寒色系（Ｂｌｕｅ：７０００Ｋ）の光環境下では観測されないような、判断力の維持が起こる。
【００３３】
図１１〜１３の検証結果を纏めると、青白い光（７０００Ｋ，９００ｌｕｘ）について、主観評価に関し、点灯直後のみポジティブとなり、３０分後に元に戻る。眠気変化はみられない。認知行動反応に関しては、点灯直後のみ判断時間が早くなる傾向で、３０分後元に戻る。
【００３４】
これに対して、暗いオレンジ光（３０００Ｋ，３００ｌｕｘ）については、ポジティブ傾向が継続し、継続して眠気が低くなる。認知行動反応に関しては、継続して判断時間が早くなる。
【００３５】
以上の検証結果に基づいて、本発明では、短期的に積極性を上げるために、青白い光を最初の約３０分間点灯し、その後は、暗いオレンジ光を点灯して、集中力を継続する。
【００３６】
以下に、本発明の実施の形態を図面に基づいて説明する。
【実施例１】
【００３７】
実施例１は、本発明を学習用や事務作業用の電気スタンドに適用したものである。【００３８】
図１に、実施例１の調光装置のブロック構成を示す。本実施例では光源として、寒色系光源１１、中間色系光源１２および暖色系光源１３を備えている。寒色系光源は、５０００−９０００Ｋの高色温度の光源で、高色温度の光を発光するＬＥＤ、蛍光灯、発熱灯などで構成でき、例えば７０００Ｋの青色ＬＥＤを用いることができる。蛍光灯や発熱灯の場合は、カラーフィルタを設けて色温度を調節しても良い。暖色系光源は、２０００−３５００Ｋの低色温度の光源で、低色温度の光を発光するＬＥＤ、蛍光灯、発熱灯などで構成でき、例えばオレンジ色のＬＥＤを用いることができる。蛍光灯や発熱灯の場合は、カラーフィルタを設けて色温度を調節しても良い。中間色系の光源は、例えば白色ＬＥＤを用いることができる。【００３９】
各光源には、それぞれ寒色系光源の駆動回路１４、中間色系光源の駆動回路１５、暖色系光源の駆動回路１６が設けられている。例えば１００−１１０Ｖの商用電源から、電源部１０により、各光源を点灯するに適した電圧に変換し、それぞれの光源の駆動回路１４〜１６に供給される。【００４０】
調光装置は、前記複数光源の駆動回路と駆動時間を制御する制御部１７を備えており、制御部１７には、操作部１８や表示部１９が接続されている。操作部１８には、点灯スイッチや明るさなどを調節する操作ボタンが設けられている。表示部１９は、点灯モードや点灯スイッチをＯＮにしてからの時間を表示するようにしてもよい。制御部１７には、メモリ２０が設けられており、それぞれの光源の光の強さの設定値や、後に述べる光の強さを変化させる場合の関数などが記憶されている。制御部１７からは、制御信号が、各光源の駆動回路１４〜１６に供給され、後で述べるように各光源１１〜１３の光の強さを時間的に制御する。【００４１】
図２に、実施例１の調光装置による、各光源の光の強さの時間変化を示す。光源の組合せとしては、寒色系光源として青色光源、暖色系光源として赤色光源、中間色光源として緑色光源の組合せ、或いは、寒色系光源として青色光源、暖色系光源としてオレンジ色（電球色）光源、中間色光源として白色光源の組合せを用いることができる。【００４２】
点灯スイッチをＯＮにすると、最初に高照度高色温度の光を発光する。すなわち、初期条件（設定値ｔ０）として、強い寒色光と、一部の中間色光を発光させ、暖色光は微弱な光またはゼロとする。時間が経過して、所定の時間、例えば約３０分近くになると、別の調光条件に変更する。所定の時間は、２０〜６０分の範囲、好ましくは２５〜３５分の範囲で選択することができる。図に示すように、点灯後２５分から３５分の間に調光条件を変更し、寒色光を徐々に減少させて、微弱な光またはゼロにし、暖色光を微弱な光またはゼロから徐々に増加させる。例えば、点灯後２５分から３５分の間に２５６段階で、寒色光および暖色光の強さを設定値ｔ０から設定値ｔ３０に変化させる。中間色光については、強さを少し減少させる。そして、最終条件（設定値ｔ３０）として、弱い暖色光と一部の中間色光からなる、低照度低色温度の光の発光を持続する。【００４３】
高照度高色温度の光から低照度低色温度の光へは、瞬間的に切り替えても良いが、図２に示すように、ある移行期間を持って、利用者が気付かないように、切り替えるのが好ましい。図２では、光の強度を線形に変化させているが、γ関数などの予め設定した関数を用いても良い。これらの関数は、図１のメモリ２０内に記憶しておき、読み出して利用する。【００４４】
図３に、実施例１の調光装置の制御のフローを示す。図３（ａ）は、点灯後所定の時間が経過すると、別の色温度の光源に変更するものである。点灯スイッチをＯＮにすると、最初に高照度高色温度の光源を選択する。そして、所定の時間、例えば約３０分が経過したかを監視し、所定の時間が経過すると別の色温度の光源に切り替える。【００４５】
図３（ｂ）は、図２に対応するもので、先ず、点灯スイッチをＯＮにすると、最初に高照度高色温度の光源を選択する。そして、所定の時間、例えば約２５分が経過すると移行期間に入り、徐々に寒色系光源および暖色系光源の強さを変更する。そして、移行期間が終わると、最終条件である低照度低色温度の光源を選択する。【００４６】
本実施例では、照明の点灯後、最初は高照度高色温度の光を発光し、所定の時間、例えば約３０分後に、低照度低色温度の光に変更することにより、短期的に積極性を上げるとともに、その後、長時間、認知判断時間を維持し、眠気を押さえ、積極性も維持することにより、学習や事務作業などの作業効率を向上させることができる。【００４７】
実施例１では、中間色光源１２および中間色光源の駆動回路１５を設けているが、この構成は必須のものではなく、この光源を除いて、寒色系光源１１および暖色系光源１３のみで構成しても良い。【００４８】
また、実施例１は、本発明を電気スタンドに適用したものとして説明したが、これに限られるものではなく、教室や事務室の照明、例えば天井灯・壁灯などの周囲の環境光を制御する照明に用いることもできる。
【実施例２】
【００４９】
実施例２は、本発明の調光装置を、教室や事務室に設けられた天井灯・壁灯などの周囲の環境光を制御する照明と、利用者の近くに設けられたスタンドとから構成される照明に用いたものである。【００５０】
図４に、実施例２の調光装置のブロック構成を示す。教室や事務室の天井に設けられた天井灯・壁灯などの周囲の環境光を制御する照明４１には、暖色系光源１３および中間色系光源１２が設けられている。これに対し、個々の利用者の近くに設けたスタンド４２には、寒色系光源１１が設けられている。本実施例では、天井灯・壁灯などの周囲の環境光を制御する照明などのリモコン操作部４３を備えており、有線や無線で操作信号を制御部１７に伝達するように構成されている。その他の構成は、実施例１と同様である。【００５１】
実施例２の動作も実施例１とほぼ同様である。リモコン操作部４３により点灯スイッチをＯＮにすると、先ず、スタンド４２の寒色系光源１１が高照度高色温度の光を発光する。このとき、天井灯・壁灯などの周囲の環境光を制御する照明４１の暖色系光源１３は、微弱な光とし、或いは発光しない。また、中間色光源１２は、少し発光させても良い。そして、時間が経過して、所定の時間、例えば約３０分近くになると、別の調光条件に変更する。例えば、スタンドの高色温度の寒色系光源を切断、或いは微弱な光とし、天井灯・壁灯などの周囲の環境光を制御する照明の低色温度の暖色系光源を、弱く低照度で発光させる。この場合も、移行期間を設け、寒色系光源および暖色系光源の光の強さを徐々に変化させるのが好ましい。【００５２】
図５に実施例２の調光装置の制御のフローを示す。図５（ａ）において、点灯スイッチをＯＮにすると、最初にスタンドの高照度高色温度の光源を選択する。そして、所定の時間、例えば約３０分が経過したかを監視し、所定の時間が経過するとスタンドの高色温度の光源を切断し、天井灯・壁灯などの周囲の環境光を制御する照明の低照度低色温度の光源を選択する。【００５３】
図５（ｂ）は、図２に対応するもので、先ず、点灯スイッチをＯＮにすると、最初にスタンドの高照度高色温度の光源を選択する。そして、所定の時間、例えば約２５分が経過すると移行期間に入り、徐々にスタンドの寒色系光源および天井灯・壁灯などの周囲の環境光を制御する照明の暖色系光源の強さを変更する。そして、最終条件である天井灯・壁灯などの周囲の環境光を制御する照明の低照度低色温度の光源を発光させる。
【実施例３】
【００５４】
実施例２では、天井灯・壁灯などの周囲の環境光を制御する照明が暖色系光源と白色系光源を備え、スタンドが寒色系光源を備えるものであるが、この実施例は、天井灯・壁灯などの周囲の環境光を制御する照明およびスタンドが、それぞれ、寒色系光源、暖色系光源および白色系光源を備えるものである。【００５５】
図６に示すように、天井灯・壁灯などの周囲の環境光を制御する照明４１は、寒色系光源１１、白色系光源１２、暖色系光源１３およびそれらの駆動回路１４〜１６を備えている。また、スタンド４２は、寒色系光源１１’、白色系光源１２’、暖色系光源１３’およびそれらの駆動回路１４’〜１６’を備えている。操作部１８はスタンドに設けられており、制御部１７を介して、天井灯・壁灯などの周囲の環境光を制御する照明の駆動回路１４〜１６およびスタンドの駆動回路１４’〜１６’を駆動時間も含めて制御する。【００５６】
実施例３では、天井灯・壁灯などの周囲の環境光を制御する照明の３つの光源、およびスタンドの３つの光源の光の強さを制御することにより、各光源の光の強さを組み合わせて、例えば図２にみられる特性を実現する。【００５７】
図７に実施例３の調光装置の制御のフローを示す。図７において、スタンドの点灯スイッチをＯＮにすると、先ず、天井灯・壁灯などの周囲の環境光を制御する照明の照度および色温度を変更し、次に、高色温度のスタンドを点灯させる。天井灯・壁灯などの周囲の環境光を制御する照明と高色温度のスタンドの光を組み合わせることにより、高照度高色温度の光を照射する。そして、所定の時間、例えば約３０分が経過したかを監視し、所定の時間が経過するとスタンドの照度および色温度を低照度、低色温度の光に変更するとともに、天井灯・壁灯などの周囲の環境光を制御する照明の照度および色温度を変更する。変更後の、天井灯・壁灯などの周囲の環境光を制御する照明とスタンドの光を組み合わせることにより低照度低色温度の光を照射する。
【実施例４】
【００５８】
実施例４は、実施例２の一部を変形したものである。事務室においては、全員が同時に事務作業に入るとは限らない。本実施例は、利用者が異なる時間に事務作業を始めても、作業効率を向上できるようにしたものである。【００５９】
図８に、実施例４の調光装置のブロック構成を示す。実施例２と同様に、事務室の天井に設けられた天井灯・壁灯などの周囲の環境光を制御する照明４１には、暖色系光源１３および中間色系光源１２が設けられている。これに対し、個々の利用者の近くに設けたスタンド４２には、寒色系光源１１が設けられている。本実施例では、個々のスタンド４２が制御部１７および操作部１８を備えており、スタンド毎に寒色系光源１１の光の強さと時間を制御できるように構成されている。その他の構成は、実施例１と同様である。【００６０】
図９に、実施例４の調光装置における各色の光の強さの時間変化を示し、図１０に、実施例４の調光装置の制御のフローを示す。【００６１】
本実施例では、先ず、天井灯・壁灯などの周囲の環境光を制御する照明４１の暖色系光源１３および中間色光源１２は、予め点灯し、低照度で点灯状態を維持しておく。利用者によりスタンド４２の操作部１８の点灯スイッチがＯＮとされると、制御部１７を介してスタンドの寒色系光源１１が発光し、高照度高色温度の光が照射される。そして、所定の時間、例えば約２５分が経過すると移行期間に入り、制御部１７の制御信号により、徐々にスタンドの寒色系光源の光の強さが減少してゼロとなり、天井灯・壁灯などの周囲の環境光を制御する照明の暖色および中間色の光からなる低照度低色温度の光が照射される状態に戻る。【００６２】
本実施例では、点灯スイッチＯＮ後の所定の期間は、寒色光とともに暖色光も照射されるが、低照度の暖色光に比べて寒色光の照度は高照度であるため、寒色光の影響が大きく、暖色光がゼロである実施例１と同様の効果が期待される。【００６３】
本実施例によれば、事務所などで利用者が異なる時間に事務作業を開始しても、個々の利用者が作業開始時にスタンドの点灯スイッチをＯＮとすることにより、短期的に積極性を上げるとともに、その後、長時間、認知判断時間を維持し、眠気を押さえ、積極性も維持することにより、作業効率を向上させることができる。【００６４】
なお、実施例４においても、実施例３と同様に、スタンドが、更に暖色系光源および中間色系光源を備え、天井灯・壁灯などの周囲の環境光を制御する照明が、更に寒色系光源を備えるようにしてもよい。
【産業上の利用可能性】
【００６５】
本発明によれば、学習や事務作業の作業効率を向上させることができ、机に設ける電気スタンドや、天井灯・壁灯などの周囲の環境光を制御する照明などの事務室の照明に利用することができる。
【符号の説明】
【００６６】
１０  電源部
１１  寒色系光源
１２  中間色系光源
１３  暖色系光源
１４  寒色系光源の駆動回路
１５  中間色系光源の駆動回路
１６  暖色系光源の駆動回路
１７  制御部
１８  操作部
１９  表示部
２０  メモリ
４１  天井灯・壁灯などの周囲の環境光を制御する照明
４２  スタンド
４３  天井灯・壁灯などの周囲の環境光を制御する照明などのリモコン操作部
【図１】
2013011589.tif 000003
【図２】
2013011589.tif 000004
【図３】
2013011589.tif 000005
【図４】
2013011589.tif 000006
【図５】
2013011589.tif 000007
【図６】
2013011589.tif 000008
【図７】
2013011589.tif 000009
【図８】
2013011589.tif 000010
【図９】
2013011589.tif 000011
【図１０】
2013011589.tif 000012
【図１１】
2013011589.tif 000013
【図１２】
2013011589.tif 000014
【図１３】
2013011589.tif 000015
【国際調査報告】
2013011589.tif 000016
2013011589.tif 000017